(57)【要約】【課題】チューニング支援装置において、参照音と試音との比較をより容易とすることである。【解決手段】チューニング支援装置は、楽器の試音を採取するマイクと、チューニングの際の参照音を出力するスピーカと、メインＣＰＵとを含んで構成される。メインＣＰＵは、試音から参照音に用いられる標準基本周波数をティーチングにより更新するティーチング処理（Ｓ１０）と、標準基本周波数と試音とに基づいて参照音を作成保持する参照音作成処理（Ｓ１２）と、作成された参照音を出力する参照音出力処理（Ｓ１４）と、試音と参照音との相違を判定するチューニング判定処理（Ｓ１６）を実行する機能を有する。【選択図】図３
2005091485.tif 000002
【特許請求の範囲】
【請求項１】
参照音を出力し、参照音に楽器の音を合わせこむ楽器のチューニングを支援するチューニング支援装置であって、
楽器からチューニング対象の音を試みに出力させ、その試音を取得する試音取得手段と、
チューニング対象の音に対応する参照音を出力する参照音出力手段と、
取得した試音の周波数と参照音の周波数の相違を判定し、その結果を出力する判定出力手段と、
を備えることを特徴とするチューニング支援装置。
【請求項２】
請求項１に記載のチューニング支援装置において、参照音出力手段は、
チューニング対象の音について標準となる基本周波数である標準基本周波数のみを周波数成分として有し一定振幅の音である第１参照音と、
チューニング対象の音の標準基本周波数のみを周波数成分として有しその音におけるその楽器のもつ減衰特性を有する音である第２参照音と、
その音におけるその楽器のもつ音色と減衰特性とを有する音の周波数を標準基本周波数に合わせた第３参照音と、の中の少なくとも１つの参照音を出力することを特徴とするチューニング支援装置。
【請求項３】
請求項１に記載のチューニング支援装置において、
さらに参照音作成手段を備え、参照音作成手段は、
チューニング対象の音について標準となる基本周波数である標準基本周波数のみを周波数成分として有する一定振幅の音を断続的に出すように合成した第１参照音と、
標準基本周波数のみを周波数成分として有する音に対しその音のもつ減衰特性を付加した第２参照音と、
チューニング対象の音である試音を取得し、試音の基本周波数である試音基本周波数を解析し、チューニング対象の音についてその基本周波数を標準基本周波数に合わせこんだ第３参照音と、の中の少なくとも１つの参照音を作成することを特徴とするチューニング支援装置。
【請求項４】
請求項３に記載のチューニング支援装置において、
参照音作成手段は複数の参照音を作成し、
さらに、
複数の参照音の中から、楽器の音を合わせこむ段階に応じて参照音の種類を選択する選択手段を備えることを特徴とするチューニング支援装置。
【請求項５】
請求項１に記載のチューニング支援装置において、
参照音出力手段を制御し、試音を取得するのに同期して参照音を出力させる制御手段を備えることを特徴とするチューニング支援装置。
【請求項６】
請求項２又は３に記載のチューニング支援装置において、
判定出力手段は、試音の基本周波数である試音基本周波数と標準基本周波数との相違を判定し、試音基本周波数と標準基本周波数との相違に応じて異なる判定音又は判定音声を出力することを特徴とするチューニング支援装置。
【請求項７】
請求項６に記載のチューニング支援装置において、
判定出力手段は、試音基本周波数が標準基本周波数に近づいてくるに従い、参照音の音量を大きくして、これを判定音とすることを特徴とするチューニング支援装置。
【請求項８】
請求項６に記載のチューニング支援装置において、
判定出力手段が、試音基本周波数と標準基本周波数との相違が合わせこみ範囲に入っていないと判定するときは、判定手段は合わせこみ継続を知らせる判定音を出力し、参照音出力手段は、参照音を再び出力し、
判定出力手段が、試音基本周波数と標準基本周波数との相違が合わせこみ範囲に入っていると判定するときは、判定手段は合わせこみ完了を知らせる判定音を出力し、参照音出力手段は、次のチューニング対象の音に対応する参照音を出力することを特徴とするチューニング支援装置。
【請求項９】
請求項１に記載のチューニング支援装置において、
マスター楽器の音を取得するマスター音取得手段と、
取得したマスター楽器の音を解析し、その基本周波数を求める解析手段と、
を備え、解析されたマスター楽器の音の基本周波数を標準基本周波数とすることを特徴とするチューニング支援装置。
【請求項１０】
請求項１に記載のチューニング支援装置において、
試音取得手段は、
楽器に取り付けられる焦電性高分子フィルム又は圧電素子であることを特徴とするチューニング支援装置。
【請求項１１】
参照音を出力して、楽器のチューニングを支援するチューニング支援装置であって、
チューニング対象の音について標準となる基本周波数である標準基本周波数のみを周波数成分として有する一定振幅の参照音を断続的に出力することを特徴とするチューニング支援装置。
【請求項１２】
参照音を出力して、楽器のチューニングを支援するチューニング支援装置であって、
チューニング対象の音について標準となる基本周波数である標準基本周波数のみを周波数成分として有する音に対しその音のもつ減衰特性を付加した参照音を出力することを特徴とするチューニング支援装置。
【請求項１３】
参照音を出力して、楽器のチューニングを支援するチューニング支援装置であって、
チューニング対象の音である試音を取得する試音取得手段と、
試音の基本周波数である試音基本周波数を解析する試音解析手段と、
試音について標準となる基本周波数である標準基本周波数に、試音の基本周波数を合わせこんだ参照音を出力する出力手段と、
を備えることを特徴とするチューニング支援装置。
【請求項１４】
参照音を出力して、楽器のチューニングを支援するチューニング支援装置であって、
複数の参照音を記憶する参照音記憶手段と、
複数の参照音の中から１の参照音を選択して出力する出力手段と、
を備え、
参照音記憶手段は、
チューニング対象の音について標準となる基本周波数である標準基本周波数のみを周波数成分として有し一定振幅の音である第１参照音と、
チューニング対象の音の標準基本周波数のみを周波数成分として有しその音におけるその楽器のもつ減衰特性を有する音である第２参照音と、
その音におけるその楽器のもつ音色と減衰特性とを有する音の周波数を標準基本周波数に合わせた第３参照音との３つの参照音の中の少なくともいずれか２つの参照音を記憶することを特徴とするチューニング支援装置。
【発明の詳細な説明】
【技術分野】
【０００１】
本発明は、チューニング支援装置に係り、特に、参照音を出力し、参照音に楽器の音を合わせこむ楽器のチューニング、すなわち調律を支援するチューニング支援装置に関する。
【背景技術】
【０００２】
楽器の音程を合わせこむため、音叉等の基準となる音と楽器を鳴らしたときの音とを聴覚で比較し、楽器の弦の張り具合等を調節する調律が行われる。例えば、弦楽器は、弦の伸びや弦による筐体の変形等で音が変化するのを避けるため、演奏時以外は弦を緩める必要があり、そのため演奏直前に弦の張り具合の調整を行って調律をしている。
【０００３】
調律の際の基準となる音としては、音叉等を鳴らすことで得られる基準音、ギター等を購入する際に添付されるマスター音が録音されているテープあるいはディスクを再生して得られる音、手本となるお師匠さんの音を録音したテープあるいはディスクを再生して得られる音を用いることができる。また、調律しようとする弦の標準周波数は予めわかっているので、その標準周波数を有する一定振幅の音を電子音で合成しこれを連続して鳴らすものも市販されている。
【０００４】
また、ギターの場合では第６弦について解放状態、すなわちどのフレットも押さえないで試し弾きをし、その試音の基本周波数を解析し、あらかじめわかっている第６弦解放音の標準周波数との差を表示するものも市販されている。この場合では、第６弦を解放状態で試音の基本周波数と標準周波数との差をゼロにするようにペグを調整してまず第６弦を調律する。次に第５弦について第６弦解放音に対応する音程を出すようにフレットを押さえ、その状態で音を出して標準周波数との差を知ることから第５弦の調律が行える。以下同様にして、第６弦解放音を基準にして順次各弦について調律を行うことができる。
【発明の開示】
【発明が解決しようとする課題】
【０００５】
しかし、音叉の場合には、基準周波数の音ではあるが楽器そのものと音色が異なり合わせづらい。マスター音等の手本となる音は、その楽器の音色や減衰特性を反映されているが、そのかわり標準周波数が判別しにくく、特に初心者にとっては音色や減衰特性の中から標準周波数を聞き分けるのが難しいものとなっている。一方、標準周波数を有する一定振幅の音を電子音で合成しこれを連続して鳴らすものは、標準周波数が判別しやすいが、実際の楽器の有する音色や減衰特性がないため、十分な音の比較ができない。例えば、標準周波数を有する一定振幅の連続音に重ねて楽器の試音を弾いても、その比較がしづらい。また、第６弦解放音を基準にして合わせこむ方法では、基準となる音が出ていないため、聴覚による合わせこみと異なってくることがある。
【０００６】
このように、従来技術においては基準となる音と試音との比較がしづらく、調律が不十分なものとなっている。
【０００７】
本発明の目的は、かかる従来技術の課題を解決し、基準となる音と試音との比較がより容易となるチューニング支援装置を提供することにある。
【課題を解決するための手段】
【０００８】
上記目的を達成するため、本発明に係るチューニング支援装置は、参照音を出力し、参照音に楽器の音を合わせこむ楽器のチューニングを支援するチューニング支援装置であって、楽器からチューニング対象の音を試みに出力させ、その試音を取得する試音取得手段と、チューニング対象の音に対応する参照音を出力する参照音出力手段と、取得した試音の周波数と参照音の周波数の相違を判定し、その結果を出力する判定出力手段と、を備えることを特徴とする。
【０００９】
また、参照音出力手段は、チューニング対象の音について標準となる基本周波数である標準基本周波数のみを周波数成分として有し一定振幅の音である第１参照音と、チューニング対象の音の標準基本周波数のみを周波数成分として有しその音におけるその楽器のもつ減衰特性を有する音である第２参照音と、その音におけるその楽器のもつ音色と減衰特性とを有する音の周波数を標準基本周波数に合わせた第３参照音と、の中の少なくとも１つの参照音を出力することを特徴とする。
【００１０】
また、本発明に係るチューニング支援装置は、さらに参照音作成手段を備え、参照音作成手段は、チューニング対象の音について標準となる基本周波数である標準基本周波数のみを周波数成分として有する一定振幅の音を断続的に出すように合成した第１参照音と、標準基本周波数のみを周波数成分として有する音に対しその音のもつ減衰特性を付加した第２参照音と、チューニング対象の音である試音を取得し、試音の基本周波数である試音基本周波数を解析し、チューニング対象の音についてその基本周波数を標準基本周波数に合わせこんだ第３参照音と、の中の少なくとも１つの参照音を作成することを特徴とする。
【００１１】
また、本発明に係るチューニング支援装置において、参照音作成手段は複数の参照音を作成し、さらに、複数の参照音の中から、楽器の音を合わせこむ段階に応じて参照音の種類を選択する選択手段を備えることが好ましい。
【００１２】
また、本発明に係るチューニング支援装置において、参照音出力手段を制御し、試音を取得するのに同期して参照音を出力させる制御手段を備えることを特徴とする。
【００１３】
また、判定出力手段は、試音の基本周波数である試音基本周波数と標準基本周波数との相違を判定し、試音基本周波数と標準基本周波数との相違に応じて異なる判定音又は判定音声を出力することが好ましい。また、判定出力手段は、試音基本周波数が標準基本周波数に近づいてくるに従い、参照音の音量を大きくして、これを判定音とすることが好ましい。
【００１４】
また、本発明に係るチューニング支援装置において、判定出力手段が、試音基本周波数と標準基本周波数との相違が合わせこみ範囲に入っていないと判定するときは、判定手段は合わせこみ継続を知らせる判定音を出力し、参照音出力手段は、参照音を再び出力し、判定出力手段が、試音基本周波数と標準基本周波数との相違が合わせこみ範囲に入っていると判定するときは、判定手段は合わせこみ完了を知らせる判定音を出力し、参照音出力手段は、次のチューニング対象の音に対応する参照音を出力することが好ましい。
【００１５】
また、本発明に係るチューニング支援装置において、マスター楽器の音を取得するマスター音取得手段と、取得したマスター楽器の音を解析し、その基本周波数を求める解析手段と、を備え、解析されたマスター楽器の音の基本周波数を標準基本周波数とすることが好ましい。
【００１６】
また、試音取得手段は、楽器に取り付けられる焦電性高分子フィルム又は圧電素子であることが好ましい。
【００１７】
また、本発明に係るチューニング支援装置は、参照音を出力して、楽器のチューニングを支援するチューニング支援装置であって、チューニング対象の音について標準となる基本周波数である標準基本周波数のみを周波数成分として有する一定振幅の参照音を断続的に出力することを特徴とする。
【００１８】
また、本発明に係るチューニング支援装置は、参照音を出力して、楽器のチューニングを支援するチューニング支援装置であって、チューニング対象の音について標準となる基本周波数である標準基本周波数のみを周波数成分として有する音に対しその音のもつ減衰特性を付加した参照音を出力することを特徴とする。
【００１９】
また、本発明に係るチューニング支援装置は、参照音を出力して、楽器のチューニングを支援するチューニング支援装置であって、チューニング対象の音である試音を取得する試音取得手段と、試音の基本周波数である試音基本周波数を解析する試音解析手段と、試音について標準となる基本周波数である標準基本周波数に、試音の基本周波数を合わせこんだ参照音を出力する出力手段と、を備えることを特徴とする。
【００２０】
また、本発明に係るチューニング支援装置は、参照音を出力して、楽器のチューニングを支援するチューニング支援装置であって、複数の参照音を記憶する参照音記憶手段と、複数の参照音の中から１の参照音を選択して出力する出力手段と、を備え、参照音記憶手段は、チューニング対象の音について標準となる基本周波数である標準基本周波数のみを周波数成分として有し一定振幅の音である第１参照音と、チューニング対象の音の標準基本周波数のみを周波数成分として有しその音におけるその楽器のもつ減衰特性を有する音である第２参照音と、その音におけるその楽器のもつ音色と減衰特性とを有する音の周波数を標準基本周波数に合わせた第３参照音との３つの参照音の中の少なくともいずれか２つの参照音を記憶することを特徴とする。
【発明の効果】
【００２１】
上記構成により、試音を取得するとともに参照音を出力し、試音と参照音との相違を判定する。したがって、聴覚により試音と参照音とを比較して楽器の調律を行うとともに、取得した試音と参照音との相違を出力して、調律を支援することができる。このように、聴覚による相違の判断と、判定出力手段による判定とにより調律の程度を判断できるので、基準となる参照音と試音との比較がしやすい。
【００２２】
また、参照音としては、チューニング対象の音についての標準基本周波数を共通にする３種類の参照音のいずれかを用いる。第１参照音は、周波数成分として標準基本周波数のみを有し一定振幅であり、かつ断続音であるので、試音の基本周波数と標準基本周波数との聞き分けが容易である。断続音であることで、耳の馴れを防止し、聞き分けがさらに容易になる。第２参照音は、周波数成分として標準基本周波数のみを有しさらにその楽器の減衰特性を有しているので、試音と重ねて聞くときに試音の基本周波数と標準基本周波数との聞き分けが容易である。第３参照音は、音色も減衰特性もそのままにしてチューニング対象の音についてその基本周波数を標準基本周波数に合わせこんだ音であるので、聴覚による音全体としての比較が容易である。
【００２３】
これらの参照音の特質を楽器の音を合わせこむ段階に応じて使い分けることにより、基準となる参照音と試音との比較がしやすくなる。一例をあげると、初期の粗調のときに第３参照音を用いて音全体を近づけ、次の微調においては第１又は第２参照音を用いて標準基本周波数を聞き分け易くして合わせる。さらに必要があれば、標準基本周波数の合わせこみができた後に、もう一度第３参照音を用いて音全体の聞き分けを行って、音色や減衰特性による聴覚の相違を細かくあわせこむことができる。
【００２４】
また、これらの参照音の作成は、チューニング対象の音の標準基本周波数と楽器又は試音の音色、減衰特性に基づいて行われる。すなわち、第１参照音は標準基本周波数の音をそのまま一定振幅として作成し、第２参照音は、試音を取得してその減衰特性を解析し、あるいは予め解析しておいた楽器のその音の減衰特性を用いて作成することができる。また、第３参照音とは、試音を取得しその標準基本周波数を解析し、その結果に基づいて試音を合わせこむことで作成される。したがって、チューニング対象の音を元にして第２及び第３参照音が作成されるため、試音と、第２及び第３参照音との間で音色や減衰特性が同じものとなって、比較がしやすくなる。
【００２５】
また、試音の取得に同期して参照音を出力する。ここで同期は、同時同期及び遅延同期等を含む広い概念である。例えば、試音とほぼ同時に参照音を出力してもよく、また、試音の減衰が終わってから参照音を出力するものとしてもよい。すなわち、参照音は連続に出されるのでなく、試音に対応し、断続的に出される。このことで、連続的に参照音を聞くことによる聴覚の馴れを防止でき、参照音と試音との比較をいつも新鮮な聴覚でおこなうことができる。
【００２６】
また、試音と参照音との相違の判定は、基本周波数の相違で行う。調律は、周波数のあわせこみだからである。そして、基本周波数の相違に応じて異なる判定音を出す。判定音に代えて、判定音声を出力することもできる。例えば、あわせこみが不十分なときは継続を知らせる音とし、あわせこみが所定範囲に入ってきたときは完了を知らせる音とし、その区別が明確にできるようにする。あるいは音声を用いて、「弦を緩めて下さい」、「弦を張って下さい」「だんだん合ってきました」等の知らせを行ってもよい。したがって目をつぶってあわせこみを行うことができ、聴覚に注意を集中でき、基準となる参照音と試音との比較がよりしやすくなる。また、あわせこみが基本周波数に近づくにつれ、参照音の音量を次第に上げてゆくことで、合わせこみの状態の把握がより容易になる。
【００２７】
標準基本周波数としては、チューニング対象の音に対し一般に基準と認められる基準周波数があるので、これをメモリに記憶して用いることができる。また、手本とするマスター楽器を基準としたいときは、マスター楽器の音を取得し、その基本周波数を解析した結果を用いることができる。
【００２８】
また、焦電性高分子フィルムを楽器に取り付け試音取得手段として用いる。焦電性高分子フィルムは小型軽量であるので、楽器に取り付けても余分な共振等が起こりにくく、調律音に影響を与えることが少ない。焦電性高分子フィルムに代えて圧電素子を用いてもよい。したがって、チューニング支援装置そのものを楽器に取り付けることが可能になる。
【００２９】
また、本発明に係るチューニング支援装置は、参照音を出力するのみの構成でもよい。その参照音としては、チューニング対象の音についての標準基本周波数を共通にする３種類の参照音の中の参照音を用いることができる。第１の参照音は、周波数成分として標準基本周波数のみを有し一定振幅であり、かつ断続音であるので、試音の基本周波数と標準基本周波数との聞き分けが容易である。断続音であることで、耳の馴れを防止し、聞き分けがさらに容易になる。第２の参照音は、周波数成分として標準基本周波数のみを有しさらにその楽器の減衰特性を有しているので、試音と重ねて聞くときに試音の基本周波数と標準基本周波数との聞き分けが容易である。第３の参照音は、音色も減衰特性もそのままにしてチューニング対象の音についてその基本周波数を標準基本周波数に合わせこんだ音であるので、聴覚による音全体としての比較が容易である。これら３種類の参照音のうち、いずれか１つの参照音のみを保持してそれを出力するものとすることで構成が簡単になる。また、３種類の参照音の中の少なくともいずれか２つ、例えば第１の参照音と第２の参照音、又は第２の参照音と第３の参照音、又は第３の参照音と第１の参照音、又は３種類の参照音の全部、を記憶装置に保持し、その中から１つの参照音を選択して出力するものとすることで、例えばチューニングの状態に応じて参照音の種類を選択でき、よりきめ細かなチューニングが可能となる。
【００３０】
以上のように、本発明に係るチューニング支援装置によれば、基準となる音と試音との比較がより容易となる。
【発明を実施するための最良の形態】
【００３１】
以下に図面を用いて本発明に係る実施の形態につき詳細に説明する。以下においてチューニング対象の楽器をギターとして説明するが、それ以外の弦楽器でもよく、また弦楽器以外の楽器であって、参照音との比較で調律を行うことが可能な楽器であってもよい。
【実施例１】
【００３２】
図１は、チューニング支援装置１０が用いられる様子を示す図である。演奏者４は、演奏に先立って、緩めてあった各弦を適当な張力となるように調整し、ギター２の特定の弦について特定の音を出すようにして試し弾きを行う。その際にチューニング支援装置１０を用い、参照音を出させ、試し弾きの試音と聴覚による比較を行う。チューニング支援装置１０は、試音を取得し、参照音との比較を行って、その判定結果を音で知らせる。したがって、演奏者は、参照音を用いて聴覚によってあわせこむことができるとともに、チューニング支援装置１０の知らせ音によりあわせこみの判定結果をも知ることができる。
【００３３】
図２は、チューニング支援装置１０のブロック図である。チューニング支援装置１０は、マイク１２、直流カットコンデンサ１４、増幅器１６、バンドパスフィルタ１８を含んで構成される試音取得部分と、増幅器２０、スピーカ２２を含んで構成される参照音及び判定音出力部と、取得された試音を受け取って各種の信号処理を行い、参照音及び判定音を出力するメインＣＰＵ５０を備える。また、メインＣＰＵ５０は、Ｉ／Ｏ７８を介して試音収録メモリ２４、基本周波数メモリ２６、各種スイッチあるいは表示等２８と相互に接続される。これらの各要素は、回路基板上に組み立てられ、筐体内部に収納されて図１に示すようなコンパクトなチューニング支援装置１０となる。
【００３４】
マイク１２は、チューニング対象となる楽器の音を採取する集音装置で、一般の小型マイクを用いることができる。好ましくは音楽用マイクを用いることがよい。直流カットコンデンサ１４、増幅器１６、バンドパスフィルタ１８は、一般に知られる電子部品等で構成でき、マイク１２の特性とメインＣＰＵ５０のＡ／Ｄ変換部５２の性能に合わせて条件等を設定することができる。
【００３５】
スピーカ２２は、参照音及び判定音を出力する発音体で、できるだけ楽器の音を再現できる性能のスピーカが好ましい。スピーカ２２の性能に合わせて楽器の音に近い再現音となるようにメインＣＰＵ５０の中で参照音及び判定音のデータを補正することもできる。増幅器２０は一般に知られる電子部品等で構成することができる。
【００３６】
試音収録メモリ２４は、マイク１２によって採取されメインＣＰＵ５０においてディジタル化された楽器の音データを一時記憶する記憶装置である。試音収録メモリ２４として、例えば、フラッシュメモリ等の半導体メモリを用いることができる。
【００３７】
基本周波数メモリ２６は、参照音に用いられる基本周波数のデータを記憶する装置である。基本周波数のデータは、楽器の種類、音を識別する弦番号等の識別番号、オプション事項等に関連付けて格納される。例えばマスター楽器を用いたギターの第６弦の基本周波数のデータは、（楽器：ギター）、（弦番号：６）、（オプション事項：マスター楽器）のデータ階層で区別されて格納される。基本周波数メモリ２６として、例えば、フラッシュメモリ等の半導体メモリを用いることができる。
【００３８】
各種スイッチあるいは表示等は、図示されていない筐体に設けられた各種の押しボタン、テンキー、ボリュームスイッチ等の入力スイッチ類、あるいはＬＥＤ、液晶ディスプレイ等の出力素子類である。これらの入力スイッチ類を用いて演奏者等のユーザが、チューニング対象の楽器や音の種類を入力し、あるいはチューニング条件を設定することができる。また、出力素子等を用いて、チューニング支援装置の動作状況をユーザに知らせることができる。
【００３９】
メインＣＰＵ５０は、受け取った試音をディジタル信号に変換し、各種のディジタル信号処理を行って、各種の参照音を合成し、参照音と試音との間の基本周波数の差を演算して調律の程度を判定して判定に対応する判定音を合成し、合成された参照音及び判定音を再びアナログ信号に変換して出力する機能を有する制御ＩＣで、一般的なマイクロプロセッサで構成することができる。より具体的には、図３に示すように、参照音に用いられる標準基本周波数をティーチングにより更新するティーチング処理（Ｓ１０）と、標準基本周波数と試音とに基づいて参照音を作成保持する参照音作成処理（Ｓ１２）と、作成された参照音を出力する参照音出力処理（Ｓ１４）と、試音と参照音との相違を判定するチューニング判定処理（Ｓ１６）を実行する機能を有する。これらの機能に対応する処理を行うにはソフトウエアを用いることができ、対応するチューニング支援プログラムを実行することで所定の処理を行うことができる。処理の一部を外部に設けたハードウエアで実行させることもできる。
【００４０】
図２に示すメインＣＰＵ５０の構成要素の中で、Ａ／Ｄ変換部５２は、マイク１２から取得した音信号をディジタル信号に変換する機能を有する回路であり、Ｄ／Ａ変換部７６は、参照音あるいは判定音のディジタルデータをアナログ信号に変換してスピーカ２２に出力する機能を有する回路である。また、Ｉ／Ｏ部７８は、試音収録メモリ２４と基本周波数メモリ２６とデータの交信をし、また図示されていない筐体に設けられた各種スイッチあるいは表示等２８と交信してユーザによる選択指示を受け取り、必要なデータを出力する機能を有するインタフェイス回路である。
【００４１】
メインＣＰＵ５０における試音収録処理部５４等の各構成要素の詳細な機能については、図３に示す４つの処理機能に分け、それぞれのフローチャートを用いて以下に説明する。最初に標準基本周波数ティーチング処理（Ｓ１０）について説明し、順次参照音作成処理（Ｓ１２）、参照音出力処理（Ｓ１４）、チューニング判定処理（Ｓ１６）について述べる。
【００４２】
図４は、ティーチング処理における手順を示すフローチャートである。ティーチング処理とは、参照音を作成する元となる標準基本周波数を定める処理で、具体的にはＣＰＵ５０のティーチング処理部５５が図４に示す手順のティーチングを実行して、チューニング対象の音に対する標準基本周波数を更新する。
【００４３】
ユーザがティーチング処理を行うことを選択するには、各種スイッチあるいは表示等２８におけるスイッチ等により行う。これによりティーチング処理部５５が処理の実行を開始する。最初に、ティーチングの方法につき３つの選択肢が与えられる（Ｓ２０）。すなわちメモリ読出法（Ｓ２２−Ｓ３０）、手動入力法（Ｓ３２−Ｓ４０）、自動入力法（Ｓ４２−Ｓ５４）である。ユーザはスイッチ等によりいずれか１を選択することができる。
【００４４】
メモリ読出法（Ｓ２２−Ｓ３０）は、予め基本周波数メモリ２６に格納されている基本周波数を読み出して、その値をチューニング対象の音の標準基本周波数として更新する方法である。具体的には、基本周波数メモリ２６のデータ構造に従い、楽器選択（Ｓ２４）、弦番号選択（Ｓ２６）を行って基本周波数を特定して読み出す。必要な場合オプション事項を入力してもよい。これらの選択データの入力はスイッチ等から行うことができる。例えば、Ｓ２４でギター、Ｓ２６で第６弦と選択入力すると、基本周波数メモリ２６から、ｆ＝８２．４１Ｈｚが読み出され、この値がこの後の参照音作成に用いられる標準基本周波数のデータとして更新（Ｓ２８）される。
【００４５】
手動入力法（Ｓ３２−Ｓ４０）は、ユーザが標準基本周波数データを直接入力して更新する方法である。具体的には、弦番号選択（Ｓ３４）を行った後、周波数データを入力（Ｓ３６）して更新（Ｓ３８）を行う。必要なときは楽器、オプション事項等の入力を行ってもよい。例えば、Ｓ３４で第６弦と選択入力し、Ｓ３６でｆ＝８２．２１Ｈｚと入力すると、基本周波数メモリ２６に記憶されているデータと異なる値に標準基本周波数を更新できる。このことで、一般的に基準基本周波数と認められている周波数と異なる基本周波数の参照音を作成でき、これに基づきチューニングを行うことで、一味違う演奏が可能になる。
【００４６】
自動入力法（Ｓ４２−Ｓ５４）は、マスター楽器等の手本とする楽器の音が有する基本周波数を標準基本周波数とする場合に、手本とする楽器の対象音を取得し、その音を解析し、得られる基本周波数に標準基本周波数を更新する方法である。具体的には、弦番号選択（Ｓ４４）を行った後、手本となる楽器の弦を弾き、その音を検出（Ｓ４６）して一旦収録する（Ｓ４８）。その収録された音について基本周波数を解析する（Ｓ５０）。得られた基本周波数を標準基本周波数として更新する（Ｓ５２）。必要なときは楽器、オプション事項等の入力を行ってもよい。例えば、Ｓ４４で第６弦と選択入力し、Ｓ５０でｆ＝８２．４５Ｈｚと解析されると、その値に標準基本周波数を更新できる。
【００４７】
手本とする楽器の音の収録（Ｓ４８）は試音収録処理部５４の機能により行われる。すなわち、マイク１２によって採取された音声データは直流カットコンデンサ１４、増幅器１６、バンドパスフィルタ１８を経由してＡ／Ｄ変換部５２によりディジタルデータに変換される。そのデータは、試音収録処理部５４の機能により、適切なフォーマットを用いて試音収録メモリ２４に収録される。
【００４８】
図５は、楽器を試し弾きしたときの音をマイク１２で取得した状態を示す図である。横軸は弦を試し弾きしてからの時間、縦軸は、マイク１２の出力電圧である。試音を収録するには、弦をはじいたときの指の音が混じる初期の時間Δｔにおけるデータを除くことが好ましい。Δｔの期間を除いた音データからその音の基本周波数を解析するのは、基本周波数解析部５６の機能による。
【００４９】
基本周波数解析部５６は、試音収録メモリ２４から該当する音データを読み出し、その音データについてピーク検出法によりその音の基本周波数を解析する。例えば図５の例では、Δｔの期間を除いた音データについて周知のピーク検出技術によりピークを検出すると、図５において黒点で示す基本周波数を有する波についてのピークが検出される。このピークの数を所定時間について計測すれば、その音についての基本周波数を求めることができる。あるいは、高速フーリエ変換器を用い、最も発生頻度の高い周波数をその音の基本周波数として求めることもできる。
【００５０】
次に、ティーチング処理により更新された標準基準周波数ｆ0と、試音に基づいて参照音を作成する作成音作成処理について説明する。図６は、参照音作成の手順を示すフローチャートである。
【００５１】
ユーザが参照音作成処理を行うことを選択するには、スイッチ等により行う。これにより試音収録処理部５４等が参照音作成処理の実行を開始する。最初に、ユーザがチューニング対象の弦を試し弾きする。これを試音収録処理部５４の機能により、弦音を検出（Ｓ６０）し、その試音を収録する（Ｓ６２）。図４の試音収録工程（Ｓ４８）に関連して説明したように、弦をはじいたときの指の音が混じる初期の時間Δｔにおけるデータが除かれて試音収録メモリ２４に収録される。この収録された試音についてその音の基本周波数が解析される（Ｓ６４）。この工程は基本周波数解析部５６の機能により行われ、図４の基本周波数解析工程（Ｓ５０）に関連して説明したように、ピーク検出法又は高速フーリエ変換器を用いる方法を適用して試音の基本周波数ｆaを求めることができる。
【００５２】
次に同じ試音データを用いて、その音の減衰特性が解析される（Ｓ６６）。この工程は減衰特性解析部５８の機能により行われる。試音の減衰特性の解析は、図５においてピーク検出法で検出された各ピークの座標（ｔ，ｖ）に基づき、包絡線を最小二乗法等で求める方法により行うことができる。ここで各ピークの座標は（時間，電圧）としてとることができる。図５には、このようにして求めた減衰特性ｅ-btと、基本周波数をｆaとして、試音の基本波の式を示してある。
【００５３】
このようにして、標準基本周波数ｆ0、試音の基本周波数である試音基本周波数ｆa、その減衰特性ｅ-btが揃うと、これらを用いて、標準基本周波数ｆ0を共通にする３つの参照音が作成される。第１参照音作成（Ｓ６８）は、標準基本周波数ｆ0のみを周波数成分として有し、振幅が一定値の音を第１参照音として合成する工程である。例えば、標準正弦波データを用いて横軸を標準基本周波数ｆ0の時間軸に合わせ、縦軸をスピーカ２２に供給する電圧の値に合わせることで第１参照音のデータを作成できる。図７に第１参照音１００の様子を横軸に時間、縦軸に電圧をとって示す。
【００５４】
第２参照音作成（Ｓ７０）は、標準基本周波数ｆ0のみを周波数成分として有する音に、試音の減衰特性ｅ-btを付与し、これを第２参照音として合成する工程である。図８に第２参照音１０２の様子を示す。横軸、縦軸は図７と同じである。また、試音の減衰特性ｅ-btは、楽器のその音に固有であるので、一度解析した特性をメモリに記憶させ、これを読み出して標準基本周波数ｆ0のみを周波数成分として有する音に付与して合成する方法で作成することもできる。
【００５５】
第３参照音作成（Ｓ７２）は、試音について、その音の形をそのままにして、試音基本周波数ｆaを標準基本周波数ｆ0にあわせこんだ音を第３参照音として作成する工程である。図９は、そのあわせこみを説明する図である。試音についてその基本周波数をｆaとし、基本波長をλaとする。チューニングによりあわせこみたい標準基本周波数をｆ0、その基本波長をλaとする。ここで数波長分、例えば８波長分時間を考えて、試音について８波長分（λa）の時間をＴaとすると、Ｔ0＝（ｆ0／ｆa）×Ｔaとなるように、試音の波形を時間軸に関して伸縮する。このことで、減衰特性を同じとし、高調波成分による音色を同じとし、基本周波数をｆaから標準基本周波数ｆ0にあわせこんだ音が作成できる。この音を第３参照音とする。図１０に第３参照音１０４の様子を示す。横軸、縦軸は図７と同じである。但し、高調波成分は定性的に示してある。
【００５６】
このようにして解析された試音基本周波数は、判定部６８に入力され、後述する試音と参照音との間の相違判定に用いられる。また、作成された第１参照音、第２参照音、第３参照音は、それぞれの保持メモリ６２，６４，６６に保持される。
【００５７】
次に、作成された参照音を出力する参照音出力処理について説明する。図１１は、参照音出力工程８０の詳細フローチャートで、参照音出力のいくつかの出力モードについての手順を示すものである。
【００５８】
ユーザが参照音出力処理を行うことを選択するには、スイッチ等により行う。これにより選択・出力制御部６０等が参照音出力処理の実行を開始する。最初に、参照音出力モードにつき３つの選択肢が与えられる（Ｓ８２）。すなわち参照音３を出力するモードａ（Ｓ８４−Ｓ８８）、第１参照音又は第２参照音を出力するモードｂ（Ｓ９０−Ｓ９４）、第３参照音の出力の後、第１参照音又は第２参照音を出力するモードｃ（Ｓ９６−Ｓ１０４）である。ユーザはスイッチ等によりいずれか１を選択することができる。第１参照音又は第２参照音の出力の場合には、さらにどちらを選択するかを定めることができる。
【００５９】
モードａ（Ｓ８４−Ｓ８８）においては、まず弦音検出（Ｓ８６）し、その音が十分減衰したのを確認した後に参照音３を出力する（Ｓ８８）。これに対し、モードｂ（Ｓ９０−Ｓ９４）においては、まず弦音検出（Ｓ９２）し、そのすぐあとに参照音１又は参照音２を出力する（Ｓ９４）。ここで、すぐあととは、試音が減衰するのを待つ必要がなく、という意味である。選択・出力制御部６０は、第１参照音保持メモリ６２、第２参照音保持メモリ６４、第３参照音保持メモリ６６から、所定の参照音データを読み出し、所定のタイミングでＤ／Ａ部７６に出力する。このことでスピーカ２２から選択されたモードの内容どおりに参照音が出力される。
【００６０】
モードａとモードｂとで参照音の出力するタイミングを変えたのは、第３参照音と第１又は第２参照音の相違からである。すなわち、第３参照音は、試音と同じ音色、同じ減衰特性を有し、単に基準周波数が異なるのみであるから、試音を十分減衰させ、第３参照音のみをよく聞ける状態にしたほうが好ましいのに対し、第１又は第２参照音は試音の高調波成分が除かれているので、試音と重ねて聞くほうがむしろその違いの聞き分けが容易だからである。
【００６１】
モードｃは、モードａのあとにモードｂを行うものである。すなわち弦音検出（Ｓ９８）し、その音が十分減衰したのを確認した後に参照音３を出力する（Ｓ１００）。その後に再び弦音検出（Ｓ１０２）し、そのすぐあとに参照音１又は参照音２を出力する（Ｓ１０４）。この手順を用いることで、チューニングを粗調と微調の２段階に分けて行うことができる。例えば、チューニングを行うにあたり、最初に試音と音色、減衰特性が同じである第３参照音で粗い合わせこみを（例えばＳ１００とＳ１０２の間に）行い、その後、基本周波数が聞き分けやすい第１参照音又は第２参照音を用いてチューニング対象の音の基本周波数を標準基本周波数にあわせる微調を（例えばＳ１０４のあとで）行うことができる。
【００６２】
モードａ，ｂ，ｃにおいて、弦音の検出を行ってから参照音を出力する。これは、参照音の出力を連続的なものとせず、試し弾きに同期して行うことで、聴覚の慣れを防止し、常に新鮮な聴覚で参照音を聞き分けるようにするためである。したがって、参照音の出力時間は、試音の減衰時間と同程度の長さ、例えば、４秒程度が好ましい。
【００６３】
次にチューニング判定処理について説明する。上記のように、参照音出力工程においては、試音検出−参照音出力が繰り返される。試音検出が行われると、検出された試音は試音収録処理部５４の機能により試音収録メモリ２４に一旦収録され、この収録された試音につき基本周波数解析部５６の機能により、試音基本周波数ｆaが解析され、その結果は判定部６８に送られる。この手順は、図６において基本周波数解析工程（Ｓ６４）に関連して説明したものと同じ内容である。また、判定部には、基本周波数メモリ２６から、標準基準周波数ｆ0のデータが入力される。
【００６４】
このように、参照音出力工程における弦音検出工程（Ｓ８６，Ｓ９２，Ｓ９８，Ｓ１０２）においては、同時にその試音基本周波数ｆaが解析され、判定部６８において、標準基準周波数ｆ0と比較され、チューニングの程度が判定される。
【００６５】
図１２は、参照音出力工程８０も含んだチューニング全体のフローチャートを示したものである。参照音出力工程（Ｓ８０）においては、上記のように参照音が出力されるとともに試音基本周波数ｆaが解析される。次に、試音と参照音の相違が比較される（Ｓ１１０）。具体的には、試音基本周波数ｆaと標準基準周波数ｆ0のデータが減算器又は比較器に入力される。試音と参照音の相違の判定は、ｆaとｆ0の周波数差が、予め設定されたしきい値Δｆを超えないか否かで行われる。しきい値Δｆは、固定の一定値として予め設定してもよく、あるいは、任意の値に設定可能としてもよい。例えば、チューニングをはじめる前に、チューニング難易度としてユーザがその値を設定するようにしてもよい。
【００６６】
試音と参照音の相違の比較は、試音の周波数特性が安定している期間に行うのが好ましい。図１３は、試音の周波数特性の安定期間を説明する図である。図１３（ａ）は、試音の振幅を電圧として縦軸にとり、横軸に試し弾きからの時間をとってある。図１３（ｂ），（ｃ）は、試音の周波数スペクトルを示すもので、横軸は標準基本周波数ｆ0を単位とした周波数である。試音は、試し弾きをした当初の期間ｔ1は、図１３（ｂ）に示すように、指や爪の音が入るほかに、周波数スペクトルが安定しない。その後、周波数スペクトルが図１３（ｃ）に示すように安定する期間ｔ2があり、それを過ぎると、また周波数スペクトルがやや乱れてくる。例えば、ｔ1は約１秒、ｔ2は約２−３秒程度である。そこで、この安定する期間ｔ2を利用して試音と参照音の相違の比較を行うのが好ましい。
【００６７】
具体的には、この期間に、参照音を聞かせるとともに、試音と参照音の相違に応じた判定音又は判定音声を出力して演奏者にチューニングの程度を知らせ、演奏者は知らされたチューニングの程度に応じて例えばペグを調整する。このとき、弦は弾かないようにすれば、試音は、減衰特性を同じにして、周波数のみが変化する。したがって、この調弦された新たな周波数を解析し、参照音との相違をさらに演奏者に知らせることができる。これを期間ｔ2の間に行えばよい。
【００６８】
試音と参照音の相違の程度を知らせるのに、参照音の音量を変えることが好ましい。すなわち、期間ｔ2の間に、調弦があってくるにつれ参照音の音量を大きくすれば、演奏者は、目をつぶって聴覚に神経を集中したまま、容易に試音と参照音の相違を知ることができる。一例として、図１４に、標準基本周波数ｆ0に合ったときに、参照音の音量を最大とし、±１Ｈｚのときは音量を最大値の半分等とするものを示した。
【００６９】
図１５、図１６は、期間ｔ2の間にペグ等を調整する調弦を行い、その合わせこみに応じて参照音の音量を変えて出力する様子を示すものである。これらの図はいずれも横軸に時間、縦軸に音量を示す電圧をとってある。図１５は期間ｔ2の間に１回調弦を行い、それによりかなり試音の基本周波数が合ってきた様子を示す。図１６は、期間ｔ2の間に数回調弦を行い、標準基本周波数にほとんど合わせこみができ、参照音の音量が最大となった例を示す。
【００７０】
なお、試音と参照音の相違の程度を知らせるのに、判定音声を用いてもよい。判定音声によれば、例えば、「弦を緩めて下さい」、「弦を張って下さい」等のきめ細かい知らせを行うことができるが、その分時間を要し、期間ｔ2の間の調弦が制限されることがある。
【００７１】
上記のように調弦が進み、ｆaとｆ0の周波数差がしきい値Δｆを超えないと判定されると、ＯＫ通知音がスピーカ２２から出力される（Ｓ１１４）。具体的には、判定部６８が、ＯＫ通知音メモリ７０から所定の通知音データを読み出し、これをＤ／Ａ変換部７６に出力する。ＯＫ通知音としては、心地よいメロディでもよく、あるいは音声でＯＫを通知してもよく、上記のように、出力している参照音の音量を最大にして知らせてもよい。
【００７２】
ＯＫ通知音が出力されると、次に第３参照音が出力される（Ｓ１１６）。これは、チューニングがあるレベルに達しているが、最終的に試音と音色と減衰特性が同じ第３参照音でより微妙なチューニングを行うためである。したがって、弦音検出のあとに第３参照音を出力するのが好ましい。
【００７３】
その後、次の調整弦がないか確認する（Ｓ１１８）。確認は、ユーザがスイッチ等で入力してもよいが、ティーチング処理において弦番号を知らせているので、そのデータを用いてもよい。次の調整弦がないと判断されると、最終的に完了確認（Ｓ１２０）が行われる。確認は、スイッチ等によりユーザの入力により行うことができる。完了が確認されると、例えば完了音が完了音メモリ７４から読み出されて出力され、これでチューニングが終了する。
【００７４】
Ｓ１１２において、ｆaとｆ0の周波数差がしきい値Δｆ以上であると判定されると、ＮＧ通知音がスピーカ２２から出力される（Ｓ１２２）。具体的には、判定部６８が、ＮＧ通知音メモリ７２から所定の通知音データを読み出し、これをＤ／Ａ変換部７６に出力する。ＮＧ通知音としては、やや心地よくないメロディでもよく、あるいは音声でＮＧを通知してもよく、もっと好ましくは、出力している参照音にうなりを付与して知らせてもよい。図１７は、うなり周波数Ｆで参照音を変調した一例を示す図である。うなり周波数Ｆは、ｆaとｆ0の周波数差に応じて変えるものとしてもよい。例えば大きく周波数差があるほどうなり周波数Ｆを高くするものとしてもよい。
【００７５】
Ｓ１１８において、次の調整弦が有ると確認されると、参照音出力工程（Ｓ８０）の最初に戻る。その際、次弦があることを知らせる通知音を出力する（Ｓ１２４）。ティーチング処理において弦番号を知らせている場合には、参照音出力工程（Ｓ８０）において自動的に次の弦の参照音を出力するようにしてもよい。
【００７６】
Ｓ１２０において、ユーザがもう一度チェックしたいと希望するときは、再び参照音出力工程（Ｓ８０）の最初に戻る。このときには、参照音出力工程（Ｓ８０）において自動的に前と同じ参照音を出力するようにしてもよい。
【００７７】
上記において、チューニング支援として、標準基本周波数ティーチング処理（Ｓ１０）、参照音作成処理（Ｓ１２）、参照音出力処理（Ｓ１４）、チューニング判定処理（Ｓ１６）と順に行われるものとして説明したが、チューニングする楽器が１つの場合等においては、標準基本周波数ティーチング処理（Ｓ１０）と参照音作成処理（Ｓ１２）を予め行っておき、通常は、弦の指定を行って、参照音出力処理（Ｓ１４）とチューニング判定処理（Ｓ１６）を行うものとすることができる。
【００７８】
また、上記において、チューニングの状態を知らせる手段として音を用いるものとした。これにより、ユーザは目をつむって聴覚に注意を集中してチューニングを行うことができる。この他に、各種スイッチあるいは表示等２８におけるＬＥＤ、ディスプレイ等を用いてチューニングの状態をより詳しく知らせるものとしてもよい。この場合には、視覚により、詳細なチューニング状態を知ることができる。
【実施例２】
【００７９】
チューニング支援装置を、楽器から音を採取し、参照音を出力し、チューニングの状態を音で知らせる物とするときは、チューニング支援装置自体を目で見る必要がないので、例えば楽器の演奏の妨げにならない場所にチューニング支援装置を取り付けてもよい。図１８は、小型のチューニング支援装置２１０をギター２の柄の部分に取り付けた状態を示す図である。このチューニング支援装置２１０は、ほぼ円盤状の筐体に、チューニング支援に必要な要素部品が集積されている。すなわち、マイクロプロセッサを含む電子部品は筐体２１２の内部に収納され、筐体２１２がギター２に取り付けられる面と反対側の面にスピーカ２１４が設けられる。
【００８０】
図１９は、チューニング支援装置２１０を、ギター２に取り付ける面側から見た図である。この面側には、焦電性高分子フィルム２１６が凸状に突き出る状態で取り付けられる。すなわち、焦電性高分子フィルム２１６の両端の外端部２１８は、筐体２１２に固定して支持され、中央部は可撓面となって凸状に突き出ている。筐体２１２をギター２に取り付けたとき、この突き出た可撓面がギター２の表面に押し付けられる。したがって、ギター２を試し弾き等したときの音が振動として焦電性高分子フィルム２１６に伝えられ、焦電効果により振動が電気信号に変換される。このようにして音を検出することができる。焦電性高分子フィルム２１６の押し付け圧は極めて少ないので、共振の問題が少なく、チューニングのときの音に与える影響を少なくすることができる。また、焦電性高分子フィルムの代わりに、小型の圧電素子を用いてもよい。
【図面の簡単な説明】
【００８１】
【図１】本発明に係る実施の形態のチューニング支援装置が用いられる様子を示す図である。
【図２】本発明に係る実施の形態におけるチューニング支援装置のブロック図である。
【図３】本発明に係る実施の形態におけるチューニング支援全体のフローチャートである。
【図４】本発明に係る実施の形態におけるティーチング処理のフローチャートである。
【図５】楽器を試し弾きしたときの音をマイクで取得した状態を示す図である。
【図６】本発明に係る実施の形態における参照音作成のフローチャートである。
【図７】本発明に係る実施の形態における第１参照音を示す図である。
【図８】本発明に係る実施の形態における第２参照音を示す図である。
【図９】本発明に係る実施の形態における第３参照音のあわせこみを説明する図である。
【図１０】本発明に係る実施の形態における第３参照音を示す図である。
【図１１】本発明に係る実施の形態における参照音出力工程の詳細フローチャートである。
【図１２】本発明に係る実施の形態におけるチューニング全体のフローチャートである。
【図１３】試音の周波数特性の安定期間を説明する図である。
【図１４】本発明に係る実施の形態において、参照音の音量を試音と参照音の相違に応じて出力させる例を示す図である。
【図１５】本発明に係る実施の形態において、合わせこみに応じて参照音の音量を変えて出力する一例を示す図である。
【図１６】本発明に係る実施の形態において、合わせこみに応じて参照音の音量を変えて出力する他の例を示す図である。
【図１７】本発明に係る実施の形態において、うなり周波数で参照音を変調した一例を示す図である。
【図１８】他の実施の形態に係るチューニング支援装置をギターの柄の部分に取り付けた状態を示す図である。
【図１９】他の実施の形態に係るチューニング支援装置の裏面図である。
【符号の説明】
【００８２】
１０，２１０  チューニング支援装置、１２  マイク、２２，２１４  スピーカ、２４  試音収録メモリ、２６  基本周波数メモリ、２８  各種スイッチあるいは表示等、５０  メインＣＰＵ、５４  試音収録処理部、５５  ティーチング処理部、５６  基本周波数解析部、５８  減衰特性解析部、６０  選択・出力制御部、６２，６４，６６  参照音保持メモリ、６８  判定部、７０，７２，７４  判定音メモリ、１００  第１参照音、１０２  第２参照音、１０４  第３参照音、２１２  筐体、２１６  焦電性高分子フィルム、２１８  外端部。
【図１】
2005091485.tif 000003
【図２】
2005091485.tif 000004
【図３】
2005091485.tif 000005
【図４】
2005091485.tif 000006
【図５】
2005091485.tif 000007
【図６】
2005091485.tif 000008
【図７】
2005091485.tif 000009
【図８】
2005091485.tif 000010
【図９】
2005091485.tif 000011
【図１０】
2005091485.tif 000012
【図１１】
2005091485.tif 000013
【図１２】
2005091485.tif 000014
【図１３】
2005091485.tif 000015
【図１４】
2005091485.tif 000016
【図１５】
2005091485.tif 000017
【図１６】
2005091485.tif 000018
【図１７】
2005091485.tif 000019
【図１８】
2005091485.tif 000020
【図１９】
2005091485.tif 000021